(57)【特許請求の範囲】
【請求項１】
プリセットメモリ内の所定のメモリを指定するプリセット選局部と、
各々前記プリセット選局部の出力に対応して視聴を制限するチャンネルを記憶するメモリとそれ以外のチャンネルを記憶するメモリの２種類のメモリグループと、
プリセットメモリへチャンネル登録時のパスワード入力時に、前記メモリグループの予め定められた一方を選択するメモリグループ選択部と、
前記プリセット選局部による選局時の前記パスワード入力時にのみ、前記予め定められた一方のメモリに登録しているチャンネルを読み出す選局データ読出部とを備えたことを特徴とするデジタル放送受信機。
【請求項２】
前記予め定められた一方のメモリグループ内のメモリには、パレンタル情報が設定されたチャンネルを登録することを特徴とする請求項１記載のデジタル放送受信機。
【請求項３】
前記予め定められた一方のメモリグループ内のメモリには、特定の有料チャンネルを登録することを特徴とする請求項１記載のデジタル放送受信機。
【請求項４】
前記両メモリグループ内のメモリにデータを登録しまたは該データを変更するプリセットメモリ登録・変更部を備え、前記メモリグループ選択部で選択されたメモリグループに前記データを登録し、または変更することを特徴とする請求項１記載のデジタル放送受信機。
【請求項５】
前記一方のメモリグループのメモリに登録されたチャンネルを、他方のメモリグループが選択されているときに局番号入力部から直接選局指示したとき、受信契約を行っていないことを表示する表示と同一の表示を行うことを特徴とする請求項１記載のデジタル放送受信機。
【発明の詳細な説明】
【０００１】
【発明の属する技術分野】
本発明はデジタル放送を受信するデジタル放送受信機に関し、特に多数のチャンネルをメモリにプリセットした際に、年齢制限されているチャンネルの設定等を、子供等が容易に知ることができないようにしたデジタル放送受信機に関する。
【０００２】
【従来の技術】
近年、デジタル放送は１つのチャンネルで複数の番組を同時に送信することができ、画質も良く、伝送経路で映像が乱されにくい等の種々の特徴を備えるため、ＣＳ放送によるデジタル放送が普及しており、日夜２００チャンネルを超える番組が放送されている。今後更にＢＳデジタル放送、地上波デジタル放送が予定されており、ほとんどの放送がデジタル化するものと予測されている。
【０００３】
また、その受信者数の増大、各社の競争に伴って利用者の趣味、趣向に合わせた種々の番組、種々のサービスも増加し、利用性が向上して更に発売される受信機数も増加し、相乗的に広範囲の人が、気軽に利用できる状態となっている。
【０００４】
一方、車両においては特にナビゲーション装置の普及に伴って、そのディスプレイを用いたテレビ受信機を備える車両が多くなっている。そのテレビ受信機においては、受信障害が少ない衛星からの電波を用いたＣＳ放送を受信する機能を備えたものを望む人も多くなっている。
【０００５】
上記のようなデジタル放送においては、放送されているチャンネルの多くのものは放送局と契約を行うことにより見ることができる有料のチャンネルであるが、一部には全ての人に無料で開放しているチャネルも存在する。有料のチャンネルにおいては予め契約することにより、特に契約変更を行わない限り１ヶ月毎の決められた使用料を支払って継続して視聴できるようにしたもの、また、一回視聴する毎に所定の料金を支払って視聴する契約を行うもの、等種々の形態が存在する。
【０００６】
更に、このような有料のチャンネルの中には、所定の年齢以上の人のみが視聴できるように、予め視聴者の特定年齢毎の年齢制限を行い、その年齢確認と共に視聴契約が行われ、この契約を行った受信機でのみ視聴することができる、いわゆるパレンタル情報を設定したチャンネルも存在する。このようなパレンタル情報は、１つの放送で複数のチャンネルを送信しているときでも、各チャンネルに対して設定することができるようになっている。このようなパレンタル情報を設定した放送を受信するため、受信機側ではパスワードを登録できるようにしておき、利用者が予め登録したものと同一のパスワードを入力したときのみこのチャンネルを視聴できるようにしている。
【０００７】
【発明が解決しようとする課題】
デジタル放送においては上記のように極めて多数の番組が放送され、無料の放送、有料の放送、さらにはパレンタル情報を設定したチャンネル等種々の態様の放送が存在するが、このようなデジタル放送を受信する受信機においては、視聴を希望するチャンネルの局番号を直接入力し指定してこれを見るほか、プリセットキーを用いて予め各キーに受信できるチャンネルを割り振って登録し、そのキーを押すだけで対応するチャンネルを見ることができるようにもしている。
【０００８】
更に、多くの受信機においては、受信機本体やリモコン等にアップダウンスイッチを設け、このスイッチを操作することにより放送されているチャンネルが選択され、あるいは受信契約しているチャンネルが選択できるようにしている。そのため、多くの受信機においてはプリセットキースイッチやアップダウンスイッチに対応してチャンネルを記憶できるメモリを設け、このメモリに各利用者が任意のチャンネルを割り振り、このデータを読み出すことにより上記のようなスイッチで所定のチャンネルを選択できるようにしている。特に車両用のデジタル放送受信機においては、スペースの関係で多くのキースイッチ等を設けることができず、ＦＭ／ＡＭラジオと同様に、アップダウンスイッチによって選局するように設定することが多くなる。
【０００９】
更に受信機においては、前記のようなパレンタル情報が設定されたチャンネルを特定の人のみが視聴するため、パスワードを入力するメモリを設けているが、このパスワードは利用者によって任意に登録するものであり、且つ、必要に応じて変更することができるようになっている。それにより、パスワードを知らない子供などのユーザは、このような番組を見ることができないようにしている。
【００１０】
上記のようなデジタル放送受信機においては、子供向けのチャンネルも多く、アニメーション専門のチャンネル、映像を含めた音楽番組用チャンネル、さらにはオーディオ専門のチャンネルも存在し、子供を含めた若年者にとっても興味のある番組も多く放送され、これらのチャンネル契約していることが多い。したがって、このような子供等が受信機を操作し、チャンネルの選択を行うとき、例えば数値キーによりパレンタル情報が設定されているチャンネルの番号を直接入力したとき、その受信機がこのチャンネルの視聴を契約していない場合には、「契約されていないため見ることができません。」等の画面表示がなされる。
【００１１】
一方、このチャンネルの受信契約を上記のようにして既に行っている場合には、画面上には「パレンタル放送のため受信できません。」と表示され、あるいはこれとは別に、更には前記表示に加えて「パスワードを入力して下さい。」等と表示して利用者にパスワードを入力しなければ視聴することができない旨を示す画面が表示される。このように表示されたとき子供等は、この受信機ではそのチャンネルの受信契約が既になされており、親がこれを見ていることを知るとともに、そのチャンネルの放送内容を紹介した番組表等で、そのチャンネルはアダルト専門のチャンネルであること等を知ることができる。このように、子供等が受信機のチャンネル選択を行うとき、この受信機ではパレンタル情報が設定されたチャンネルの受信契約を行っており、親はこれを自分たちに内緒で見ていることを知ってしまい、親にとっては好ましくないため、何らかの対策が望まれている。
【００１２】
また、上記のように子供等がプリセットキーで選局操作し、上記のような表示がされたとき、そのチャンネルが既に親が契約しているものであることがわからない場合には、そのチャンネルはプリセットキーには登録していないものと思い、そのプリセットキーに対応するメモリに他のチャンネルを登録してしまうことが考えられる。そのようなときには、その後大人がこの受信機を操作したときにはプリセットキーでは先のチャンネルを選択できなくなっている。またこのプリセットキーに対応したプリセットメモリを順に呼び出すアップダウンキーを用いている際も、同様に先に登録してあったチャンネルを選択できなくなっている。
【００１３】
また、有料の放送の内、上記のように１回受信する毎に料金を支払う契約を行うチャンネルも存在するが、その料金は比較的高価なものもあり、頻繁にこのような番組を見ることは後の使用料請求時に大きな負担となる。そのため、例えば子供等が頻繁に見ることは好ましくなく、この点についてもその対策が望まれている。更に、上記のようなパレンタル情報が設定された放送ではなくても、きわどい映画や放送番組をたびたび放送しているチャンネルも存在し、このようなチャンネルを子供には見せたくないと思うとき、このチャンネルの設定は子供には容易にわからないように設定できる受信機も望まれている。
【００１４】
したがって本発明は、パレンタル情報が設定された放送等を行っている特定のチャンネルについて、これを受信契約している場合でも、通常のチャンネル選局操作時にはそのチャンネルの選局を行うことができず、且つ受信契約を行っていることも知ることができないようにしたデジタル放送受信機を提供することを主たる目的とする。
【００１５】
【課題を解決するための手段】
本発明は、上記課題を解決するため、プリセットメモリ内の所定のメモリを指定するプリセット選局部と、各々前記プリセット選局部の出力に対応して視聴を制限するチャンネルを記憶するメモリとそれ以外のチャンネルを記憶するメモリの２種類のメモリグループと、プリセットメモリへチャンネル登録時のパスワード入力時に、前記メモリグループの予め定められた一方を選択するメモリグループ選択部と、前記プリセット選局部による選局時の前記パスワード入力時にのみ、前記予め定められた一方のメモリに登録しているチャンネルを読み出す選局データ読出部とを備えたことを特徴とするデジタル放送受信機としたものである。
【００１６】
また、他の態様として、前記予め定められた一方のメモリグループ内のメモリには、パレンタル情報が設定されたチャンネルを登録することを特徴とする前記デジタル放送受信機としたものである。
【００１７】
また、他の態様として、前記予め定められた一方のメモリグループ内のメモリには、特定の有料チャンネルを登録することを特徴とする前記デジタル放送受信機としたものである。
【００１８】
また、他の態様として、前記両メモリグループ内のメモリにデータを登録しまたは該データを変更するプリセットメモリ登録・変更部を備え、前記メモリグループ選択部で選択されたメモリグループに前記データを登録し、または変更することを特徴とする前記デジタル放送受信機としたものである。
【００１９】
また、他の態様として、前記一方のメモリグループのメモリに登録されたチャンネルを、他方のメモリグループが選択されているときに局番号入力部から直接選局指示したとき、受信契約を行っていないことを表示する表示と同一の表示を行うことを特徴とする前記デジタル放送受信機としたものである。
【００２０】
【発明の実施の形態】
本発明の実施の形態を図面に沿って説明する。図１は本発明によるデジタル放送受信機の機能ブッロクとその相互関係を示す機能ブロック図である。この図において従来と同様に、アンテナ１１で受信したデジタル放送の電波は、制御部２０によって制御されるＲＦ信号復調部１２、ベースバンド信号復調部１３で各々信号処理され、データ分離部１４においてその信号に含まれるオーディオデータ１５、ビデオデータ１６、さらにはこれらのデータの管理情報である情報チャネルデータ１７が分離される。
【００２１】
ここで分離されたオーディオデータ１５はオーディオデコード部１８、アンプ２１を介してスピーカ２２から出力し、ビデオデータ１６はビデオ信号デコード部２３に出力され、画像合成部２４で後述する選局情報表示信号形成部２６からの適宜の画像等を合成して画像表示部２５に映像を表示する。また、情報チャンネルデータ１７は制御部２０に入力され、この中にパレンタル情報が設定されているデータ等が存在するときにはこのデータが取り込まれる。
【００２２】
一方、このデジタル放送受信機には選局用プリセットメモリ３０を備え、その中には第１メモリグループ３１と第２メモリグループ３２の２つの独立したメモリグループを備えている。この２つのメモリグループの内、例えば第１メモリグループ３１を従来と同様の操作により使用されるメモリグループとし、第２メモリグループ３２を特定の操作を行ったときにのみ選択されて使用されるメモリに設定しておく。この２つのメモリグループの内いづれかを選択するメモリグループ選択部３３を備え、後述するパスワード一致判別部３４からのパスワード一致信号が入力されたときには例えば第２メモリグループ３２を選択する。
【００２３】
パスワード一致判別部３４には、予めパスワードが登録されたパスワードメモリ３５のデータと、入力キー４０の操作によって行われるパスワード入力部３７からのデータと比較し、両者が一致したときにメモリグループ選択部３３に信号を出力するようにしている。また、前記パスワードメモリ３５のデータの登録は、パスワード入力部３７のデータを、パスワード登録・変更部３６を介して入力することにより行われる。また、一度登録したパスワードは、同様の操作により変更することができる。
【００２４】
パスワード入力部３７からパスワードが入力しないとき、あるいはパスワードを入力してもパスワードメモリ３５に登録してあるものと一致しないことにより、パスワード一致判別部３４からパスワード一致信号が出力されないときには、この実施例においてはメモリグループ選択部３３は選局用プリセットメモリ３０の中の第１メモリグループ３１を選択する。選局部４０におけるプリセット選局キー４１の各キーに対して、第１メモリグループ３１内の各メモリが対応しており、このメモリに対してプリセットメモリ登録・変更部４３を介して所定のチャンネルを割り当てて登録・あるいは変更することができ、このようにして第１メモリグループ３１に対するチャンネルの登録・変更処理がなされる。
【００２５】
一方、パスワード入力部３７から、予めパスワードメモリ３５に登録してあるパスワードと一致するものが入力されたときには、パスワード一致判別部３４からメモリグループ選択部３３にその信号が出力され、メモリグループ選択部３３が第２メモリグループ３２を選択する。それにより、プリセット選局部４１の各キーに対して、プリセットメモリ登録・変更部４３を介して所定のチャンネルを割り当てて登録・あるいは変更する操作が行われるときは、この第２メモリグループ３２に対して登録・変更処理がなされることとなる。
【００２６】
このようにして登録された、第１メモリグループ、及び第２メモリグループのメモリに対するチャンネルの割り当ての例を図５に示している。この例においては、第１メモリグループに１からｎまでのｎ個のメモリ部分が存在し、各メモリ部分に対してプリセット番号１〜ｎが対応している。また、第２メモリグループに対しても１〜ｎまでのｎ個のメモリ部分が存在し、ここにおいても同様にプリセット番号１〜ｎが割り当てられている。それにより、受信機の本体、あるいはリモコンに設けられたｎ個のプリセットメモリのいずれかを押すことにより、例えば前記のように第１メモリグループが選択されていたときには、そのプリセットメモリのキーに対応した第１メモリグループのチャンネルの選局が行われ、同様に第２メモリグループが選択されていたときには、そのプリセットキーに対応した第２メモリグループにおいて、対応するチャンネルの選局が行われる。
【００２７】
上記のようなプリセットキーのいずれかを押して選局する手間を省くため、アップダウンキーを設けて上記のようにプリセットされた局を順に選択するようにした受信機も存在する。したがって、そのようなアップダウンキーを用いた際には、第１メモリグループが選択されていたときに最初プリセット番号１の図示例における１１２チャンネルから選局し、アップキー側を押すときは順にｎの７５５チャンネルまで選局を行い、再び番号１に戻るように設定される。この場合、途中でダウンキー側を押すと逆方向への選局を行うこととなる。第２メモリグループが選択されていたときも、そのグループ内の例えば９００チャンネルから順に選局を行う。
【００２８】
上記のようなプリセットキーによって選局を行う際、例えば第１メモリグループが選択されていて利用者がプリセット番号４のキーを押したときには、このプリセット番号４には第２メモリグループには９０５チャンネルが登録されているものの第１メモリグループにはなにも登録されていないので、「チャンネルが登録されていません。」という表示を画面に行う。このような表示は、選局データ読出部４４から制御部２０を介して選局情報表示部２６に前記情報が出力され、画像合成部２４において主画面に合成され、画像表示部２５に表示することにより行われる。このような例において、前記アップダウンキーを用いる際には、多くの場合登録されたもののみを選局するので、上記プリセット番号４のように登録されていないものは飛ばされることとなる。但し、このように登録されていないプリセット番号を飛ばす機能のないものは、ここで上記のように「チャンネルが登録されていません。」という表示が行われることとなる。このような作動は、第２メモリグループが選択されてプリセットキーを用いて選局を行うとき、またアップダウンキーを用いて選局を行うときも同様にして行われる。
【００２９】
本発明においては、上記のように選局用プリセットキーに対応するプリセットメモリを第１メモリグループと第２メモリグループに分けて設け、例えば第２メモリグループについては正式なパスワードを入力しないと選択されないようにしておくことにより、パスワードを入力せずに通常用いられる第１メモリグループ内のメモリを使用しているときには、図５に示すような９００、９０２、９０５チャンネルは選局されることがない。また、子供等、パスワードを知らない人にとってはプリセットキーを用いて、あるいはアップダウンキーを用いて通常の選局操作をしているときには、このようなチャンネルが存在することはわからない。なお、利用者が上記のようなプリセットキー等を用いることなく、チャンネル番号を直接入力して選局を行うとき、例えば前記９００チャンネルを選局したときには、受信契約をしていてもしていなくても同じに、例えば「受信できません。」のような表示を行う。
【００３０】
上記のような機能構成からなる本発明においては、例えば図２及び図３に示す作動フローに沿って選局処理を、また図４に示す作動フローに沿ってプリセットメモリの登録・変更処理を行うことができる。以下これらの作動フローを前記図１の機能ブロック図及び図５のプリセットメモリ対応登録チャンネル例を参照しつつ説明する。選局処理に際しては最初図２に示すように、パスワードを入力したか否かが判別される（ステップＳ１）。ここでパスワードが入力されなかったときには、図１の選局用プリセットメモリ３０における第１メモリグループ３１が選択される（ステップＳ３）。また、前記ステップＳ１においてパスワードが入力されたと判別されたときにおいて、その入力したパスワードが登録したパスワードと一致しないと判別されたとき、即ち正式なパスワードが入力されない場合にもステップＳ３に進み第１メモリグループが選択される（ステップＳ２）。
【００３１】
本発明においてはこのように、選局に際して最初に正式なパスワードが入力されたか否かにより、２つのグループが存在するプリセットメモリのいずれかを選択するようにしており、例えば子供等、パスワードを知らない人が操作するときには、後述する第２メモリグループの選択が行われることはなく、常に第１メモリグループ内での選局処理が行われる。したがって、第２メモリグループ内にパレンタル情報設定チャンネルや、特別に高額な利用料金を必要とするチャンネル等を登録しておくことにより、子供等がこの受信機でそのようなチャンネルが契約されていることを知ることがなく、また、無意識に高額の視聴料を支払うチャンネルを選局すること等が無くなる。
【００３２】
その後プリセット選局キーが操作されたか否かが判別され（ステップＳ４）、操作されたときには例えば図５に示されるような、第１メモリグループ内におけるプリセット選局キー対応の登録局、即ち登録チャンネルが選択されることとなる（ステップＳ５）。次いでプリセット選局キー対応の登録局が実際に登録されているか否かが判別される（ステップＳ６）。ここで例えば図５のプリセット番号１のように１１２チャンネルが登録されているときには、この１１２チャンネルがメモリから読み取られ、選択局として指定出力される（ステップＳ７）。なお、ステップＳ４において判別されるプリセット選局キーの操作としては、上記のように多数設けられたプリセットキーを操作する以外に、ここではアップダウンキーによって前記プリセット番号に対応するメモリを順に読み出すようにした操作も含むものとする。
【００３３】
この選択局指定出力は、図１の選局データ読出４４から制御部に２０に出力し、放送受信部においてはその指示に従って選局作動を行う。上記選局操作の結果、希望の局が選局されたときには選局が終了され（ステップＳ８）、この選局処理フローは終了する（ステップＳ１６）。しかし、一応選局してみたものの、出力された映像が所望のものとは異なるため、他のチャンネルにしたいと思ったときには再びステップＳ１に戻り、以降同様の作動を繰り返す。以降も、正規のパスワードを知らない人は、第２メモリの存在等を特に意識することなく、第１メモリグループ内での選局操作を行うこととなる。なお、上記の例において、プリセットキーに登録しているチャンネルは、無料チャンネルを含めて全て受信契約を行っているチャンネルであるとして取り扱っている。
【００３４】
上記ステップＳ６において、例えば図５のプリセット番号４のように、メモリグループ１内に登録しているチャンネルが存在しないときには登録局がないと判別され、「チャンネルが登録されていません」と表示し（ステップＳ９）、他の局の選択を促す。また、この表示によりそのプリセット番号に対応するメモリに新たにチャンネルを登録することができることもわかる。上記のような表示を行った後ステップＳ４に戻り、新たなプリセット選局キーの操作を待ち、操作が行われたときには登録されている局が選択されるまでこの処理を繰り返す。
【００３５】
一方、前記ステップＳ４においてプリセット選局キーの操作が行われないとき、即ち、選局を行う操作に際して上記のようなプリセット選局キーを操作することなく、直接チャンネル番号を数値キーで入力することにより選局する時には（ステップＳ１０）、入力したチャンネルが受信契約を行っているチャンネルであるか否かが判別される（ステップＳ１１）。このように、チャンネル番号を直接入力して選局する際には、前記のような選局用プリセットメモリとは無関係に選局されることとなる。
【００３６】
選局したチャンネルが既に受信契約をしているチャンネルである場合には、パレンタル情報が設定されているチャンネルであるか否かが判別される（ステップＳ１２）。選択したチャンネルがパレンタル情報が設定されているチャンネルであるときには、この実施例においては画像表示部に「受信できません」という表示を行う（ステップＳ１３）。また、前記ステップＳ１１において、受信契約をしていないチャンネルであると判別されたときにも、ステップＳ１３に進み、上記のように「受信できません」という表示を行う。ステップＳ１２において、パレンタル情報が設定されていないチャンネルであるときには、ステップＳ７に進み、前記と同様にその選択局指定を出力する。
【００３７】
上記のように、単に受信契約を行っていないチャンネルが指定されたときと、前記ステップＳ１及びステップＳ２において正式なパスワードを入力しなかったことにより視聴することができない状態となっているパレンタル情報が設定されているチャンネルを指定したときとは、全く同じ表示を行うことにより、例えば子供等がこの受信機を操作しているとき、パスワードを知らない限りはチャンネル選局キーを直接操作することがあっても、パレンタル情報が設定されているチャンネルの存在をこの受信機のみでは知ることができない。また、他の手段で特定のチャンネルが成人用のチャンネルであることを知ってそのチャンネル番号を直接入力することがあっても、受信契約を行っていないときの表示と全く同じ表示を行い、例えば「パスワードを入力して下さい」などと表示しないので、この受信機でそのチャンネルが実際には受信契約がされていても、それを知られることがない。
【００３８】
一方、前記ステップＳ２において、入力したパスワードが登録してあるパスワードと一致していると判別されたときには、第２メモリグループが選択され（ステップＳ１４）、次いで図３に示す第２メモリグループ内での選局処理が行われる。その選局処理が行われた後はステップＳ８に進み、選局が完全に終了したか否かを判別し（ステップＳ１５）、終了したときにはステップＳ１６でこの作動フローを終了する点は前記と同様である。
【００３９】
第２メモリグループ内での選局処理は図３に示すように、概略前記第１メモリグループが選択されたときと同様の作動を行う。最初プリセット選局キーが操作されたか否かが判別され（ステップＳ２１）、操作されたときには第２グループ内のキー対応登録局が選択される（ステップＳ２２）。前記図５においては、第２メモリグループにはプリセット番号１に９００チャンネルが、番号２に９０２チャンネルが、また番号４に９０５チャンネルが登録されている例を示しており、これらのチャンネルはいずれもパレンタル情報の設定されているチャンネル、あるいは１回視聴する毎に高額な視聴料を支払う必要のあるチャンネル等が登録されている。
【００４０】
前記判別の結果、登録局が存在するときにはその選択局を指定する出力を行う（ステップＳ２４）。またその選択局の映像を見た結果、更に他の局のサーチを行うことを希望するときには（ステップＳ２５）、前記ステップＳ２１に戻り、他のプリセット選局の指定を行い同様のフローを繰り返す。また前記ステップＳ２３において登録局が存在しないと判別されたときには、「チャンネルが登録されていません」という前記と同様の表示を行う。
【００４１】
一方、前記ステップＳ２１において、プリセット選局操作が行われずチャンネル番号を直接入力することによる選局を行うときには（ステップＳ２７）、受信契約をしているか否かが判別され（ステップＳ２８）、受信契約しているときにはそのままステップＳ２４に進み、選局指定したチャンネルを受信する出力を行う。このように、前記第１メモリグループ内での選局と異なり、既に正式なパスワードを入力しているので、受信契約をしているチャンネルの内でパレンタル情報が設定されているチャンネルを抜き出す作動を行う必要がない。前記ステップＳ２８において、受信契約していないチャンネルであると判別されたときには、「受信できません」という表示を行う（ステップＳ２９）。以上のように第２メモリグループ内の選局処理が終了したときには、前記のように図２のステップＳ８に進む（ステップＳ３０）。
【００４２】
上記のように選局の際に用いられるプリセットメモリは、その登録及び変更に際しては図４に示す作動フローにしたがって処理することができる。即ち、前記図２及び図３と同様に、パスワードを入力したか（ステップＳ３１）、またパスワードを入力したときには、入力したパスワードが登録してあるパスワードと一致するか否かを判別し（ステップＳ３２）、これらの判別によりパスワードが入力されないとき、あるいは登録したパスワードと一致するパスワードが入力されなかったときには、第１メモリグループが自動的に選択される（ステップＳ３３）。
【００４３】
その後この第１メモリグループに対して登録・変更するプリセット番号の指定を行い、その番号に対応するメモリに対してプリセット局のチャンネル番号を入力する（ステップＳ３５）。その後、プリセット局の登録・変更を行う予定のものが全て終了したか否かを判別し（ステップＳ３６）、未だ終了していないときには再びステップＳ３１に戻り同様の作動を繰り返す。いずれにおいても、パスワードを入力しなければ前記のようにパレンタル情報が設定されているチャンネルのメモリにはアクセスすることができず、これらのメモリの変更を防止することができる。
【００４４】
一方、前記ステップＳ３２において、利用者が入力したパスワードが登録したパスワードと一致すると判別されたときには第２グループメモリが選択され（ステップＳ３７）、この第２メモリグループに対して前記と同様の処理により、登録・変更プリセット番号の指定（ステップＳ３８）、その番号に対応するメモリへのプリセット局の入力（ステップＳ３９）が行われる。また、この第２メモリグループ内のプリセット局の登録・変更が全て終了したか否かを判別し（ステップＳ４０）、未だ終了していないときには前記ステップＳ３８に戻り、以下同様にプリセット局の入力処理を行う。それにより、第２メモリグループの処理が全て終了する迄は、パスワードの再入力を行わずに処理することができるようにしている。この第２メモリグループに対するプリセットメモリの登録・変更が全て終了したときには、ステップＳ３６に進み、第１メモリグループへの登録・変更処理も全て終了したか否かを判別し、終了したと判別されたときにはこのプリセットメモリの登録・変更作動フローを終了する（ステップＳ４１）。
【００４５】
上記実施例において、パスワードを入力することにより選択可能なメモリグループ内には、パレンタル情報が設定されたチャンネル、特に視聴料が高いチャンネルを登録する例を示したが、そのほか無料チャンネルであっても例えば残虐シーンが多い番組を放送されていると噂されているチャンネル、プロレス番組等子供に見せたくないと思う番組等、任意のチャンネルを設定することができる。なお、上記のような操作が子供等にも容易に知られることがないように、操作マニアルにおいてはこの操作部分は別冊として、大人等の利用者が取り外して別の場所に保管できるようにすること、等の配慮も必要となることが考えられる。
【００４６】
【発明の効果】
本発明は、上記のように構成したので、チャンネルの選択時にパスワードを入力しない限りは一方のメモリグループ内のメモリに登録したチャンネルにアクセスすることができず、且つ通常のチャンネル選局時には他方のメモリグループ内のメモリに登録したチャンネルのみが選局可能として表示されるので、前記一方のメモリグループ内のメモリに登録したチャンネルについては受信契約を行っていることすら知ることができなくなる。
【００４７】
また、前記予め定められた一方のメモリグループ内のメモリに、パレンタル情報が設定されたチャンネルを登録するようにしたデジタル放送受信機においては、パレンタル情報の設定されたチャンネルの受信契約をしているときでも、子供等にその受信契約を悟られないようにすることができる。
【００４８】
また、前記予め定められた一方のメモリグループ内のメモリに、特定の有料チャンネルを登録するようにしたデジタル放送受信機においては、例えば１回視聴する毎に高額の視聴料を支払うようなチャンネルをこのメモリグループ内のメモリに登録しておくことにより、他の人が知らずに、あるいはむやみにこのようなチャンネルを選択して視聴し、高額の視聴料支払い請求のくることを防止することができる。
【００４９】
また、前記両メモリグループ内のメモリにデータを登録しまたは該データを変更するプリセットメモリ登録・変更部を備え、前記メモリグループ選択部で選択されたメモリグループに前記データを登録し、または変更するようにしたデジタル放送受信機においては、メモリにデータを登録し、あるいは変更するときに、予めパスワードを入力しないと前記パレンタル情報を設定したチャンネル等を記憶した片側のメモリグループにアクセスすることができないので、そのデータを他の人が知らずに、あるいは意識的に変更してしまうことを防止することができる。
【００５０】
また、前記一方のメモリグループのメモリに登録されたチャンネルを、他方のメモリグループが選択されているときに局番号入力部から直接選局指示したとき、受信契約を行っていないことを表示する表示と同一の表示を行うようにしたデジタル放送受信機においては、前記一方のメモリグループのメモリにパレンタル情報が設定されたチャンネルを登録しているとき、他方のメモリグループが選択されている状態でそのチャンネルの局番号を直接入力して選局指示したときには、受信契約を行っていない表示がなされるので、例えば「パスワードを入力して下さい」というような、既に受信契約を行っている表示がなされることがないため、パスワードを知らない他の人にこのようなチャンネルの受信契約を行っていることを悟られない。
【図面の簡単な説明】
【図１】本発明の実施例の機能ブロック図である。
【図２】本発明の実施例において選局処理を行う際の、特に第１メモリグループが選択されているときの作動を主として示した作動フロー図である。
【図３】本発明の実施例において選局処理を行う際の、特に第２メモリグループが選択されているときの作動を主として示した作動フロー図である。
【図４】本発明の実施例において、プリセットメモリの登録・変更処理を行うときの作動フロー図である。
【図５】本発明における各メモリグループのプリセットメモリに登録されるチャンネルの例を示す表である。
【符号の説明】
３０  選局用プリセットメモリ
３１  第１メモリグループ
３２  第２メモリグループ
３３  メモリグループ選択部
３４  パスワード一致判別部
３５  パスワードメモリ
３６  パスワード登録・変更部
３７  パスワード入力部
４１  プリセット選局部
４２  局番号入力部
４３  プリセットメモリ登録・変更部
４４  選局データ読出部
【図１】
0003897517.tif 000002
【図２】
0003897517.tif 000003
【図３】
0003897517.tif 000004
【図４】
0003897517.tif 000005
【図５】
0003897517.tif 000006